(57)【要約】【課題】カバンに補充的に配置して小物を収納する、中仕切等の小物収容具を、品質を損なうことなく、簡易にカバンの内寸法に適合させる。【解決手段】小物収容具１００は、芯部材１０に正面側生地部１１、裏面側生地部１２を縫い付けてなり、正面側生地部１１には小物収納部１３が取り付けられ、裏面生地部１２には面ファスナ１４が取り付けられている。生地部１１、１２は、芯部材１０の下側および左右のフリーカット領域１０ａ〜１０ｃには延びていない。利用者は、フリーカット領域１０ａ〜１０ｃを適宜に裁断してカバンの内寸法に合わせることができる。【選択図】  図１
2004313273.tif 000002
【特許請求の範囲】
【請求項１】
実質的に矩形薄板形状の芯部材と、
上記芯部材の少なくとも１面に縫い付けられた実質的に矩形のカバーと、
上記カバーの被覆位置に取り付けられた小物収納部とを有し、
上記カバーは、上記芯部材の少なくとも１辺の縁部において上記芯部材を被覆しない形状とした小物収容具。
【請求項２】
上記カバーは、上記芯部材の左右両辺および下辺のそれぞれの縁部において上記芯部材を被覆しない請求項１記載の小物収容具。
【請求項３】
上記芯部材に面ファスナ部を設け、カバン本体に対応して設けた面ファスナ部により、上記カバン本体に着脱可能な構成とした請求項１または２記載の小物収容具。
【請求項４】
上記ファスナ部の少なくとも一部は上記芯部材の下辺側に設けられ、当該下辺側のファスナ部は、一端が上記芯部材に縫い付けられ、自由端が下方に伸びる長尺形状である請求項３記載の小物収容具。
【請求項５】
上記下辺側のファスナ部の上記一端は、上記カバー被覆領域内で上記芯部材に縫い付けられ、上記自由端が上記カバー被覆領域を越えて下方に伸びる請求項４記載の小物収容具。
【発明の詳細な説明】
【０００１】
【発明の属する技術分野】
この発明は、筆記具・携帯電話・印鑑・手帳・カードなどの小物の収納に適したカバン用中仕切、その他、カバンへの収容に適した小物収容具に関し、とくに、中仕切等、小物収容具自体の品質を損なうことなくカバンの大きさに簡易に適合できるようにしたものである。
【０００２】
【背景の技術】
一般にビジネスマンが業務上用いるカバンには、書類用中仕切、３本分程度のペン差し、１個分の携帯用ポケット程度しか設けられておらず、収納部が不足している。とくに、デザインを重視した高級なカバンほど以上の特徴が顕著になっている。
【０００３】
このような点から、補充的に追加される中仕切や板部材に適宜に小物収納部を設ける提案がなされている（特許文献１、特許文献２）。また、そのような板部材をカバン本体に止着部により取り付けることも提案されている（特許文献３）。なお、以下では、このような追加的な中仕切や板部材を単に小物収容具と呼ぶこともある。
【０００４】
ところで、ビジネスマンが通常用いるカバンはその用途上さほどサイズが変わらないが、それでもその内寸法に若干のサイズ上差異があり、多くのカバンに適した中仕切等、小物収容具を用意するにはそれに合わせたものを用意しなければならず、製造コストや流通コストを増大させる原因となる。同一規格の小物収容具でサイズの相違を吸収できるようにすることが望まれる。
【０００５】
また、特許文献３では、カバンの内部側壁に設けた止着部と小物収納用板部材の止着部とを嵌着させて板部材をカバンの内部側壁に密着させて取り付けるようにしている。しかし、利用者は、このような使用態様でなく、板部材をカバンの中底に取り付け、上部を自由端にして、書類中仕切のように使用することを望む場合もある。利用者の選択に応じて、より多くの態様で使用できるうようにすることが望まれる。
【特許文献１】
実開平３−５５７２８号公報
【特許文献２】
実開平４−１３１３２２号公報
【特許文献３】
登録実用新案公報第３０５４３７２号
【０００６】
【発明が解決する課題】
この発明は、以上の事情を考慮してなされたものであり、カバンの内寸法に簡易に適合させることができ、しかも、その品質を損なうことがないようにできる小物収容具を提供することを目的としている。さらに、小物収容具を、カバン内側壁に固着したり、あるいは、内底のみに取り付けて中仕切のように使用したり、使用態様を適宜に選択できるようにすることを目的としている。
【０００７】
【課題を解決するための手段】
この発明によれば、上述の目的を達成するために、特許請求の範囲に記載のとおりの構成を採用している。ここでは、発明を詳細に説明するのに先だって、特許請求の範囲の記載について補充的に説明を行なっておく。
【０００８】
すなわち、この発明の一側面によれば、上述の目的を達成するために、小物収容具１００に、実質的に矩形薄板形状の芯部材１０と、上記芯部材の少なくとも１面に縫い付けられた実質的に矩形のカバー１１と、上記カバーの被覆位置に取り付けられた小物収容部１３とを設け、上記カバーは、上記芯部材の少なくとも１辺の縁部において上記芯部材を被覆しない形状としている。
【０００９】
小物収容具は、筆記具・携帯電話・印鑑・手帳・カードなどの小物を収納する小物収納部を具備する中仕切、板部材等である。主にカバンに収納して用いられるが、単に、机上に立てかけて小物を収納するために用いたり種々の用途に用いることができる。小物収納部は基本的には小物収容具に固定して取り付けられているが、場合によっては、面ファスナ等を用いて着脱可能にしてもよい。カバーは、例えば、布製、革製であるが、これに限定されない。芯部材は例えばポリプロピレンのような樹脂製であるが、これに限定されない。
【００１０】
この構成においては、カバーが被覆されていない縁部をハサミやナイフでカットして、大きさをカバンの内寸法に適合させることができる。この縁部には、カバーが被覆されていないので、カバーや縫い付け部分を損なうことがなく、高級な印象を損なうことがない。
【００１１】
また、この構成においては、上記カバーは、上記芯部材の左右両辺および下辺のそれぞれの縁部において上記芯部材を被覆しない構成とすることが好ましい。
【００１２】
また、上記芯部材に面ファスナ部を設け、カバン本体に対応して設けた面ファスナ部により、上記カバン本体に着脱可能な構成とすることが好ましい。この場合、上記ファスナ部の少なくとも一部は上記芯部材の下辺側に設けられ、当該下辺側のファスナ部は、一端が上記芯部材に縫い付けられ、自由端が下方に伸びる長尺形状であることが好ましい。このようにすれば、下辺側のファスナ部をカバンの内底にも内側壁にも取り付けることができる。
【００１３】
この発明の上述の側面およびこの発明の他の側面は特許請求の範囲に記載され、以下、実施例を用いて詳細に説明される。
【００１４】
【発明の実施の形態】
以下、この発明の実施例について説明する。
【００１５】
図１は、実施例の小物収容具１００を正面から示しており、図２は、この小物収容具１００を裏面（背面）から示している。
【００１６】
図１および図２において、小物収容具１００は、樹脂製の薄板状の芯部材１０に正面側生地部（カバー）１１、裏面側生地部（カバー）１２を糸１５により縫い付け、正面側生地部１１に各種収納部１３（便宜上、一部の収納部にのみ符号１３を付している）を取り付け、裏面側生地部１２に面ファスナ１４ａ〜１４ｄを取付て構成されている。
【００１７】
正面側生地部１１、裏面側生地部１２は、芯部材１０より小さくなっており、芯部材１０の左右縁部および下縁部は、生地部１１、１２により覆われないようになっている。具体的には、芯部材１０の大きさは、ほぼＡ３サイズとなっている。すなわち、高さが３００ｍｍであり、横が４１５ｍｍである。生地部１１、１２は、例えば布製、革製のカバー材料からなり、Ｂ４サイズに比べてその短辺を１０ｍｍ伸ばしたサイズである。すなわち、高さが２６５ｍｍであり、横が３６５ｍｍである。芯部材１０の左右縁部および下縁部には生地部１１、１２が延在することなく、フリーカット領域１０ａ、１０ｂ、１０ｃを構成している。フリーカット領域１０ａ、１０ｂ、１０ｃは図３に示すように例えば２５ｍｍ幅であり、利用者はその範囲で芯部材１０を、図５に矢印で示すように、ハサミやカッターで切り詰めることができる。
【００１８】
例えば、Ｂ４対応のカバンに合わせ、芯部材（樹脂板）１０の周辺のフリーカット領域１０ａ、１０ｂ、１０ｃの任意の部分をハサミなどで適宜に裁断して利用者のカバンにぴったりのサイズを実現する。
【００１９】
芯部材１０の厚さは、例えば、１．５ｍｍであり、ハサミ等により簡易に裁断できる。
【００２０】
生地部１１、１２は図４に示すように芯部材１０に糸１５により縫い付けられているが、フリーカット領域１０ａ、１０ｂ、１０ｃ（１０ａ、１０ｂについては図１、図５等を参照）には縫い付け部分がないため、フリーカット領域１０ａ、１０ｂ、１０ｃにおいて芯部材１０を切り詰めても縫い付けを損傷させることがない。
【００２１】
正面側生地部１１の収納部１３としては、８本のペン差し（直径１１ｍｍ、１２ｍｍ、１３ｍｍ、１６ｍｍ。Ａで示す）、クリップ分のないボールペン等に用いるペン受け（Ｂで示す）、カードホルダー（Ｃで示す）、オープンポケット（Ｄで示す）、フラップポケット（Ｅで示す）、メッシュポケット（ゴムとメッシュからなるポケット。Ｆで示す）等を具備している。もちろん、他の種類の収納部を設けてもよい。
【００２２】
裏面側生地部１２には面ファスナ１４ａ〜１４ｄが設けられている。上部側の面ファスナ１４ａ、１４ｂは例えば２０×２０ｍｍの正方形であり、下部側の面ファスナ１４ｃ、１４ｄは例えば２０×７０ｍｍの長方形である。面ファスナ１４ａ〜１４ｄは生地部１２の所定位置で糸１５により縫い付けられている。下部側の面ファスナ１４ｃ、１４ｄの一端の１０ｍｍの領域は生地部１２の領域にあり、残りの６０ｍｍの部分が下方に延びて生地部１２からはみ出ている。芯部材１０の下端を切り詰めない状態でも、面ファスナ１４ｃ、１４ｄは１５ｍｍほど芯部材１０からはみ出ており、このはみ出た部分を利用してカバンの内底の面ファスナに取り付けることができる。
【００２３】
この実施例の小物収容具１００は、２０×２０ｍｍの裏面粘着面ファスナ（図示しない）を４つ付属させており、これらをカバンの内部に適宜に取り付ける。裏面粘着面ファスナの粘着面は剥離紙で被覆され、これを剥がして使用する。おおよその取付位置を図６では矢印で示している。図６の（ａ）は、４つの裏面粘着面ファスナをすべてカバン２００の１つの内側壁２０１に取り付けたものであり、これらに面ファスナ１４ａ〜１４ｄを結合する。この結果、小物収容具１００はその内側壁２０１に密着する。すなわち、裏面側生地部１２が内側壁２０１に向き合い、正面側生地部１１がカバン２００内部でオープンになる。長尺の面ファスナ１４ｃ、１４ｄは不要部分が多くなるので切り込むことが好ましい。邪魔になるおそれもあるが、切り込まなくてもかまわない。図６の（ｂ）は、カバン２００の内側壁２０１の下側に２つの裏面粘着面ファスナを取り付けたものであり、この場合、小物収容具の上端は自由に動き、薄物を挟み込むのに便利である。図６の（ｃ）は、カバン２００の内底２０２に２つの裏面粘着面ファスナを取り付けたものである。この場合、小物収容具１００側の下側の面ファスナ１４ｃ、１４ｄの先端側がカバンの内底の面ファスナに結合される。下側の面ファスナ１４ｃ、１４ｄが長尺であるので、カバン２００の内底２０２の面ファスナと確実に結合する。この利用態様は通常の中仕切と同じである。
【００２４】
小物収容具１００は、そのフリーカット領域１０ａ〜１０ｃを適宜に切り詰めてカバン２００の内寸法に合わされる。面ファスナ１４ａ〜１４ｄはそれらフリーカット領域１０ａ〜１０ｃからはずれた位置に取り付けられているので、面ファスナ１４ａ〜１４ｄを用いた結合には支障が生じない。下側の面ファスナ１４ｃ、１４ｄは、下側のフリーカット領域１０ｃの切り詰め具合によっては、余分な長さとなることがあるが、必要に応じてカットすればよい。
【００２５】
面ファスナは例えばフック片とループ片とからなるものである。この例では面ファスナの個数を４としたが、１個でも２個でもあるいは４を超える個数でもよい。また、この例では横に２個設けたが、１個でも３個以上でもよい。
【００２６】
なお、この発明は上述の実施例に限定されるものではなくその趣旨を逸脱しない範囲で種々変更が可能である。例えば、上述の例では、芯部材に直接にカバー用の生地部を取り付けたが、下地用の布部材等で芯部材を全体に覆い、下地用の布部材等の上にカバー用の生地部を設けるようにしてもよい。この場合、芯部材を裁断すると下地用の布部材も切り込まれることになるが、カバー用の生地部は損傷を受けない。
【００２７】
また、上述の例では、小物収納部を正面側生地部に糸により縫い付けて固定して取り付けるようにしたが、面ファスナ等を用いて正面側生地部に着脱自在に取り付けるようにしてもよい。また、薄板の芯部材の形状としては、四隅にアール（Ｒ）を設けた長方形としたが、正方形、菱形、平行四辺形、三角形、多角形、楕円等、適宜な形状とすることもできる。要するに、カバーが被覆されない部分を設け、ここで形状を切り詰めるようにできればよい。
【００２８】
【発明の効果】
以上説明したように、この発明によれば、カバンの内寸法に合わせて一部を切り込んだ場合でも縫い込み部分が損傷を受けることがなく、製品品質を維持することができる。
【図面の簡単な説明】
【図１】この発明の実施例の小物収容具の正面図である。
【図２】上述実施例の小物収容具の背面図である。
【図３】上述実施例の小物収容具のフリーカット領域を説明する図である。
【図４】上述の実施例の小物収容具の生地部の取付状態を説明する端面図である。
【図５】上述の実施例の小物収容具のフリーカット領域の切り込みを説明する図である。
【図６】上述の実施例の小物収容具をカバンに取り付けた状態を説明する図である。
【符号の説明】
１０      芯部材
１０ａ〜１０ｃ      フリーカット領域
１１      正面側生地部
１２      裏面側生地部
１３      収納部
１４ａ〜１４ｄ      面ファスナ
１５      糸
１００      小物収容具
１００      小物収容具
２００      カバン
２０１      内側壁
２０２      内底
【図１】
2004313273.tif 000003
【図２】
2004313273.tif 000004
【図３】
2004313273.tif 000005
【図４】
2004313273.tif 000006
【図５】
2004313273.tif 000007
【図６】
2004313273.tif 000008